(57)【要約】      （修正有）【課題】医療処置の前に、またはその間に医療装置のビューポートの曇りを防止する方法、および関連した器具と装置を提供する。【解決手段】ビューポートは、内視鏡のような医療装置２００のビューポートでありえて、予防の処理は、医療処置で医療装置２００を使用する前に施すことができる。この方法は、ビューポートにごく近接している、ビューポートを収納する閉室でプラズマ発生電磁界を印加することを含む。ビューポートのプラズマ処置は、水によってビューポートを完全に濡らすことを達成するために親水性を増大させるように構成される。【選択図】図１Ａ
2020114396.tif 000002
【特許請求の範囲】
【請求項１】
内視鏡検査用の内視鏡を準備するための装置を伴う使用のための保護シュラウドであって、前記内視鏡は、遠位端およびビューポートを有し、前記ビューポートは、それを通して前記ビューポートの周囲の画像を収集することを可能にするように構成され、前記保護シュラウドは、前記装置から、且つ、前記内視鏡の遠位端から着脱可能であり、前記保護シュラウドは、誘電材料で作られ、且つ、前記内視鏡の遠位端を受け入れるように寸法取り且つ構成される開口部と、前記保護シュラウドの遠位端との間に伸びる中空管を備え、前記保護シュラウドは、前記内視鏡を囲むように寸法取りされ、それによって前記内視鏡が前記中空管内に受け入れられるときに前記内視鏡と密封して接触するように構成される、前記中空管の内周に沿って前記開口部と前記シュラウド遠位端の間に配置される真空シールを更に備える、保護シュラウド。
【請求項２】
前記真空シールは、前記保護シュラウドの内部で前記内視鏡の遠位端を機械的に安定させるように構成される、請求項１に記載の保護シュラウド。
【請求項３】
前記保護シュラウドの外部とその内部との間に電気接点を提供し、且つ、前記内視鏡の遠位端が前記保護シュラウド内部に受け入れられるときに前記内視鏡の外面に接触するように構成される、封止された電気的フィードスルーを更に備える、請求項１に記載の保護シュラウド。
【請求項４】
第１の端部と前記第２の端部の間に伸び、且つ、前記第１の端部上に第１のスリーブ開口部、および前記第２の端部上に、前記中空管の開口部と一致し、且つ、前記内視鏡を前記保護シュラウド内に挿入することを可能にするように構成される第２のスリーブ開口部を有する無菌性スリーブを更に備える、請求項１に記載の保護シュラウド。
【請求項５】
前記無菌性スリーブは柔らかい、請求項４に記載の保護シュラウド。
【請求項６】
前記内視鏡の遠位端が前記保護シュラウド内部にあるときに、前記開口部を通して前記保護シュラウドの内部からポンプで汲み出すことを可能にする、前記保護シュラウドの遠位端にある開口部をさらに備える、請求項１に記載の保護シュラウド。
【請求項７】
前記開口部上に配置され、且つ、前記保護シュラウドの外部からその内部への細菌性微生物の転送を防止するように構成される無菌性フィルターを更に備える、請求項６に記載の保護シュラウド。
【請求項８】
前記中空管を横切る密封スクリーンであって、それによって前記密封スクリーンと前記中空管の遠位端との間に閉じられた空間を画定する、密封スクリーンを更に備える、請求項１に記載の保護シュラウド。
【請求項９】
前記中空管内部に配置され、且つ、前記内視鏡の前記中空管への挿入の際に前記密封スクリーンを引きはがすように構成されるテリアを更に備える、請求項８に記載の保護シュラウド。
【請求項１０】
前記中空管内部に配置され、且つ、前記内視鏡の前記保護シュラウド内への前進を制限するように構成されるストッパーを更に備える、請求項１に記載の保護シュラウド。
【請求項１１】
前記保護シュラウドの外周に沿って配置され、且つ、前記保護シュラウドがスロット内に挿入されるときに、前記保護シュラウドと前記装置のスロットの内壁との間の隙間を封止するように構成される外部真空シールを更に備える、請求項１に記載の保護シュラウド。
【発明の詳細な説明】
【技術分野】
【０００１】
本発明は、いくつかの実施形態において、内視鏡のようなビューポートを有する医療装置の分野、より詳細には、限定されるものではないが、医療処置の間に医療装置のビューポートにおける曇りの蓄積を防ぐ方法および装置に関する。
【背景技術】
【０００２】
内視鏡は、医療処置で、特に低侵襲外科的処置で広く使われている。ここで、「内視鏡」は、患者の体に挿入されるように構成される遠位端、および処置の間に患者の体の外側にとどまるように構成される近位端を有するあらゆるスコープを含むことを意味する。概して、遠位端は、ビューポート、例えばレンズまたはウインドウまたは光ファイバーのむきだしの端または（例えば歯科医鏡のような）鏡さえも含む。ビューポートを通して、スコープは、例えばＣＣＤのような感光性装置を用いて、ビューポートの周囲の画像を収集することを可能にする。ビューポートは、装置の前から（すなわち、装置の長手方向軸と一致する領域から）光を集めるために狙いを定めることができるか、またはビューポートは、長手方向軸と関連してある角度で傾斜できるか、または（例えば結腸内視術において示されているように）装置の長手方向軸に対して垂直に面することができる。近位端は、概して、おそらくユーザー・インターフェース構成要素、例えばスイッチ、ナビゲーション・スティック、タッチスクリーン、およびタッチパッドを含む、開業医により保持されるハンドルを含むか、またはそれに連結している。
【０００３】
内視鏡は、スコープ、例えば気管支鏡、結腸鏡、膀胱鏡、および腹腔鏡の非常に広い範囲を含む。腹腔鏡は、 ― 具体例として ― おそらく遠位端に対物レンズ、そして近位端に接眼レンズおよび／または集積化可視ディスプレイを含む、ビューポートを有する堅いか比較的堅いロッドまたは軸から成る。スコープは、遠隔可視ディスプレイ装置または外科的処置を記録するためにビデオカメラに接続することもできる。
【０００４】
腹腔鏡処置において、患者の腹腔または骨盤空洞は、１つまたは２つまたはより多くのより比較的小さい切開（概して約３ｍｍ〜約１５ｍｍ）によってアクセアスされて、腹腔鏡は、切開の一つを通して挿入されて、開業医は手術する内部臓器を見ることができる。腹部は、通常、内部臓器より上に腹壁を上昇させることによって腹部空間を膨張させて、それによって外科医のために充分な作業および視聴スペースを生じさせるために、通気器（二酸化炭素が吸入のために通常用いられる）を用いることによりガスによって膨らむ。
【０００５】
患者の腹部空間の中の局所環境は、通常、挿入されている腹腔鏡と比較して湿気があり且つ暖かい。従って、腹腔鏡のビューポートは、例えば曇りによって、すなわちビューポート上の蒸気の凝結によって、または、例えば、液滴の蓄積、例えば処置の間に外科的作業から生じる血液滴によってぼやける傾向がある。
【０００６】
内視鏡のビューポートをきれいにするために用いるいくつかの既存の技術は、患者の体から内視鏡を引き出し、ビューポートをリンスするかまたはそれを（例えば布で）拭いて、おそらく内視鏡を患者の体に戻した後の曇りの形成を減少させ、遅らせるために、遠位端を乾燥させて、それを徐々に進ませることを必要とする。他の既存の技術は、患者の体内部でビューポートをリンスすることを含む。米国特許第８，０４７，２１５号明細書は、腹腔鏡下の外科的処置の間に腹腔鏡のレンズをきれいな乾燥した状態に維持するのに適した腹腔鏡レンズクリーナーを開示している。腹腔鏡レンズクリーナーの実施形態は、外筒内部を有する細長いクリーナー外筒、クリーナー外筒に設けられる流体導管、外筒内部に設けられて流体導管と連通している流体放出ノズル、クリーナー外筒に設けられるガス導菅、および外筒内部に設けられてガス導菅と連通しているガス放出ノズルを含む。米国特許出願第２０１５０００５５８２号明細書は、腹腔鏡の曇りを除去してきれいにする方法を開示している。この方法は、腹腔鏡を外筒に挿入すること、腹腔鏡および外筒を体腔に挿入すること、腹腔鏡が体腔中にある間にガスがレンズの曇りを取り除くためにガス管腔を通って腹腔鏡のレンズ上を流れるように、外筒の壁の中でガスを複数のガス管腔へ供給すること、および腹腔鏡が体腔中にある間に流体がレンズをきれいにするために流体管腔を通ってレンズ上を流れるように、外筒の壁の中で界面活性剤を含む流体を流体管腔へ供給することを含む。
【発明の概要】
【０００７】
本発明の態様は、そのいくつかの実施形態において、 医療装置のビューポート上の曇りを除去する−即ちぼやけおよび曇りを減少するかまたは防止する ―ことに関する。より詳しくは、本発明の態様は、そのいくつかの実施形態において、医療処置の間に医療装置のビューポート上の曇りの蓄積を防ぐ方法および装置に関する。
【０００８】
上記のように、医療装置が患者の体内で用いられる医療処置の間に医療装置のビューポートをきれいに保つための既存の技術がある。この種の技術は、患者の体から医療装置を取り外して、布で、またはリンスによってビューポートをきれいにすることによるか、あるいは患者の体内でビューポートをリンスする（そしておそらくガス流を使用してそれを乾燥させる）ことによる、ビューポートの能動的な清掃を含み、従って最善ではない。清掃のための医療処置の中断は、処置の時間を長くすることに結果としてなって、開業医の精神の動転から生じるか、または通常医学的に必要とされない作業ステップを実行することに因るさまざまな合併症が更に生じる場合がある。清掃を行うために医療装置を患者の体から引き抜くことは、さらにより悪く、このように、装置の取り出しおよび体への再導入は、更なる合併症の原因になりえる。
【０００９】
ビューポート上の蒸気の凝結によってぼやけが生じる可能性がある一つの理由は、凝結液体 ― 例えば、おそらく体液が混じった水 ― が、凝結して液滴を通過する光線を歪める液滴になり、それによってビューポートの光学品質を損ねるということである。換言すれば、各液滴はレンズとして機能して、それを通過する光線を焦点に集めるかまたは発散するかまたは一般に制御されない方向に歪めるかもしれない。ビューポート上の多数の液滴の全効果は、このように光学的に凸凹の表面を生成し、それによって、ビューポートを通過する（またはそこから反射する）光から鮮明な画像を得るのを妨げる。
【課題を解決するための手段】
【００１０】
従って、いくつかの実施形態の態様によれば、使用中にビューポートの曇りを防ぐ方法が提供される。いくつかの実施形態によれば、ビューポートは、内視鏡のような医療装置のビューポートでありえて、予防の処理は、医療処置で医療装置を使用する前に施すことができる。この方法は、ビューポートにごく近接している、ビューポートを収納する閉室でプラズマ発生電磁界を印加することを含む。ビューポートのプラズマ処置は、水によってビューポートを完全に濡らすことを達成するために親水性を増大させるように構成される。完全な濡れは、ビューポートの処理された表面の表面張力を水の表面張力を超えて、すなわち、０．０７２Ｎ／ｍを超えて増やすことにより達成される。好ましくは、ビューポート面の表面張力は、０．０８Ｎ／ｍを超え、そして前述したようにプラズマ処理の後に限られた期間の間０．１Ｎ／ｍを超えるまで上げられる。ビューポートの処理された表面の表面張力が水の表面張力より大きいときに、水は表面の液滴に蓄積しなくて、むしろ表面を濡らして、実質的に０度の接触角を有する。このように、ビューポートの親水性表面の水分の凝結が、流体の薄くて均一な層に結果としてなるので、この方法は、曇ることによるぼやけを除去するかまたは少なくとも著しく減らし、それによってビューポートの光学品質を維持するかまたは少なくとも光学品質の低下を制限する。ビューポート上の流体厚みの変動はプラズマ処理によって、減少し、そしてそれによってビューポート上の凝結された流体を通る光の通過に関連した光学長さの変動は同様に減少する。
【００１１】
処理された表面の親水性に関するプラズマ処理の効果はしばしば一時的であり、その結果、処理された表面の親水性は、プラズマへの暴露が終わったあとに時間とともに減少する傾向がある。この方法は、このように、プラズマを印加したすぐ後にビューポート（またはビューポートが取り付けられる装置）を使用すること― 即ち、ビューポートを水分にさらすこと―を更に含む。「すぐ後に」は、２４時間以内、好ましくは、６時間以内、そして更に好ましくは、プラズマをそれに印加した後の１時間以内にビューポートを用いることを意味する。
【００１２】
本願明細書の教示によれば、プラズマが、ビューポートの近くでプラズマ発生電界の均一性を確実にするために、それ故にプラズマ処理の品質を確実にするために、誘電体バリア放電（ＤＢＤ）モードで発生するという点に留意される。本願明細書においてプラズマ処理の「品質」は、達成される親水性のレベル、および電界がその親水性を得るために起動する継続時間を意味する。換言すれば、高品質のプラズマ処理は、比較的短い期間（例えば、起動された電界の５分、または１分、または短くて１０秒、または更に短くて５秒）内に（例えば、処理される表面上に水のそれを超える、即ち０．０７２Ｎ／Ｍを超える表面張力を得る）比較的高いレベルの親水性を達成する。
【００１３】
ＤＢＤモードのプラズマ発生は、例えば、界を印加するために使用する電極の１つを電気的に分離することによって遂行できる。この種の分離は、電極をプラズマが発生する領域のガスから分離する誘電層によって実現できるか、またはＤＢＤモードは、例えば、プラズマ発生界が印加される２つの電極の間の照準線を遮断する誘電層によって遂行できる。例えば、いくつかの実施形態によれば、歯科医の鏡は、近い室に、例えば金属ハンドルの部分を備えた鏡を含む装置の遠位端を配置し、陰極を金属ハンドルに電気的に接続して、鏡周辺のガス状媒体から電気的に分離される陽極にＲＦ高電圧を印加することによって、本願明細書の教示に従って処理できる。他の例示的実施形態によれば、ガラスまたはプラスチックのような誘電材料で作られてその周辺に金属部品を有しないビューポートは、プラズマ発生電界を印加するために用いる２つの露出した電極の間に配置されることによって、本願明細書の教示に従って処理することができて、その結果、ビューポート自体は、電極の間の照準線を遮断することによって誘電体バリアとして使われる。
【００１４】
本願明細書に記載するようにプラズマをＤＢＤモードで発生することは、電極を互いから比較的短い距離に、そして処理される表面から短い距離に配置して、電界をビューポートの処理される表面の近傍において、比較的均一に保つと共に、比較的強い界を印加し、それによって高品質のプラズマ処理を処理される表面に施すことを可能にする（本願明細書で「比較的」は、ＤＢＤモードではなくてプラズマを発生することと比較して使われる）。
【００１５】
いくつかの実施形態の態様によれば、内視鏡検査用の内視鏡を準備するために装置が更に提供される。この装置は、そこに内視鏡の遠位端を受け入れるために必要な大きさにされる保護シュラウドを備え、遠位端は、ビューポートの周囲の画像を、それを通して収集することを可能にするように構成されるビューポートを備える。この装置は、電源に電気的に接続して保護シュラウドで囲われる内視鏡の遠位端をそこに受け入れるように構成されるスロットを有する、プラズマ発生界アプリケーターを更に備える。プラズマ発生界アプリケーターは、ビューポートに近位のプラズマ発生に適している電界をスロット内で印加するように構成される。保護シュラウドは、内視鏡の遠位端から、そしてプラズマ発生界アプリケーターから着脱可能である。
【００１６】
いくつかの実施形態によれば、保護シュラウドは、保護シュラウドがスロットに挿入されるときにプラズマ発生界アプリケーターの対応するアプリケーター電気接点に電気的に接触するように構成される少なくとも一つの電極と少なくとも一つのシュラウド電気接点を備える。少なくとも一つの電極は、それによってプラズマ発生界アプリケーターから電力を受け取ると、保護シュラウド内でプラズマ発生界を印加するように構成される。
【００１７】
いくつかの実施形態の一態様によれば、そこに内視鏡の遠位端を受け入れるために必要な大きさにされる保護シュラウドを提供することを含む、内視鏡検査用の内視鏡を準備する方法が提供される。遠位端は、それを通してビューポートの周囲の画像を収集することを可能にするように構成されるビューポートを備える。この方法は、プラズマ発生界アプリケーターを提供することを更に含み、そこにおいて、保護シュラウドは、遠位端から、そしてプラズマ発生界アプリケーターから着脱可能である。プラズマ発生界アプリケーターは、電源に電気的に接続して、保護シュラウドで囲われる内視鏡の遠位端をそこに受け入れるように構成されるスロットを有する。プラズマ発生界アプリケーターは、プラズマ発生に適している電力を保護シュラウド内で印加するように構成される。この方法は、プラズマ発生界アプリケーターのスロットの中に保護シュラウドで囲われる内視鏡の遠位端を配置すること、および電源を起動させて保護シュラウド内でプラズマを発生させ、それによって遠位端のビューポートをプラズマ処理することを更に含む。いくつかの実施形態によれば、この方法は、保護シュラウドによって、遠位端に分散した流体によるプラズマ発生界アプリケーターの汚染を防止することを更に含む。
【００１８】
いくつかの実施形態の一態様によれば、内視鏡検査用の内視鏡を準備する方法が更に提供される。内視鏡はビューポートを備えた遠位端を備える。ビューポートは、誘電材料で作られて、内視鏡の遠位端で金属部分に最も近い。この方法は、内視鏡の遠位端を少なくとも陽極と陰極を有するプラズマ室（そこでは、陰極は金属部分と電気的に接触する）内に配置することを含む。陽極と陰極間の照準線は、誘電体バリアにより遮断されて、この方法は、陽極と陰極の間にプラズマ発生電磁界を印加し、それによってビューポートの周辺でＤＢＤモードのプラズマを発生することを更に含む。いくつかの実施形態によれば、電気バリアは、ビューポートの周辺で陽極をガスから電気的に分離する。
【００１９】
いくつかの実施形態によれば、ビューポートは、腹腔鏡のビューポートのように透明である。いくつかの実施形態によれば、ビューポートは、歯科医の鏡のような鏡である。いくつかの実施形態によれば、ビューポートは、ガラスまたはクォーツまたはプラスチックでできている。
【００２０】
本発明は、水の表面張力より高い外面の表面張力を得るようにビューポートの外面を活性化するために、内視鏡のような医療機器のビューポートをプラズマ処理するために用いることが可能である装置を別に提供する。
【００２１】
本発明は、ビューポートを非常に親水性にするためにビューポートをプラズマ処理し、それによって使用中ビューポートの曇りに因るぼやけを防止することによって、医療処置用の、内視鏡のようなビューポートを有する医療機器を準備する方法を別に提供する。
【００２２】
本発明は、医療処置のすぐ前に、または医療処置の間でさえ、医療処置用の医療機器を準備する方法を別に提供する。本発明はまた、クリーンで無菌の環境で医療処置のすぐ前に、または医療処置の間でさえ、プラズマ処理を内視鏡のような医療機器に施すように構成される装置を提供する。
【００２３】
本発明の特定の実施形態は、上記の利点のいくつかまたは全てを含むか、あるいはいずれも含まないことがありえる。更なる利点は、本願明細書に含まれる図、説明、および請求項から当業者にとって容易に明らかでありえる。本発明の態様および実施形態は、以下の本願明細書および添付の請求の範囲に更に記載される。
【００２４】
他に規定されない限り、本願明細書に用いるすべての技術および科学用語は、本発明が関係する当業者によって一般に理解されるのと同じ意味を有する。矛盾する場合、定義を含む、特許明細書が基準となる。本明細書に用いるように、前後関係がその他の場合を明確に記述しない限り、不定冠詞「ａ」および「ａｎ」は、「少なくとも一つ」または「一つ以上」を意味する。
【００２５】
本発明のいくつかの実施形態は、添付の図を参照して本願明細書に説明される。説明は、図と共に、いくつかの実施形態がどのように実行できるかを当業者にとって明らかにする。図は例示する説明のためであり、そして本発明の基本的理解に必要であるより詳細に実施形態の構造的詳細を示すいかなる試みも実行されない。明確にするため、図に表されるいくつかの物体は正確な縮尺ではない。
【図面の簡単な説明】
【００２６】
【図１Ａ】本願明細書における教示による、医療処置に対する医療装置を準備するための装置の実施形態を図式的に表す。
【図１Ｂ】内視鏡の遠位端を図式的に表し、遠位端は、図１Ａの装置によってプラズマ処理するのに適しているビューポートを備える。
【図１Ｃ】図１Ａの装置のプラズマアプリケーターをカバーするための無菌性スリーブを備える図１Ａの装置の無菌性スクリーンを図式的に表し、無菌性スリーブは使用の前に巻かれる。
【図１Ｄ】図１Ｃの無菌性スクリーンを図式的に表し、そこにおいて、無菌性スリーブは、プラズマアプリケーターをカバーするために部分的に広げられる。
【図１Ｅ】図１Ｃの無菌性スクリーンを図式的に表し、そこにおいて、無菌性スリーブは広げられ、それによってプラズマアプリケーターをカバーする。
【図２】本願明細書における教示に従って医療処置に対する医療装置を準備するための装置の保護シュラウドの実施形態を図式的に表し、保護シュラウドはプラズマ処理される内視鏡を囲う。
【図３Ａ】装置のプラズマアプリケーターのスロット内に配置される保護シュラウドを図式的に表す。
【図３Ｂ】図３Ａの保護シュラウドの詳細を図式的に表す。
【図３Ｃ】本願明細書における教示に従って医療処置に対する医療装置を準備するための保護シュラウドおよび発生界アプリケーターの別の実施形態を図式的に表す。
【図４】本願明細書における教示に従って医療処置に対する医療装置を準備するための装置の保護シュラウドの更に別の実施形態を図式的に表す。
【発明を実施するための形態】
【００２７】
本願明細書における教示の原則、使用、および実施態様は、添付の説明および図を参照してよりよく理解できる。本願明細書にある説明および図の閲覧に応じて、当業者は、過度の努力または実験なしで本願明細書における教示を実施することが可能である。図において、類似の参照符号は全体に類似の部品を指す。
【００２８】
図１Ａは、医療処置に対する、内視鏡のような医療装置２００を準備するための、いくつかの実施形態の態様による、装置１００を図式的に表す。医療装置２００は、図１Ｂにも図式的に表される、遠位端２１０を備える。遠位端２１０は、ビューポートの周囲の画像を収集することを可能にするように構成されるビューポート２２０を備える。ビューポート２２０は、いくつかの実施形態において、ガラスまたはクォーツ、あるいはパースペックスのようなプラスチックのような材料から成る、ウインドウまたはレンズのような透明なシートでありえて、それによって医療装置２００の外側から光が、例えばカメラのような感光装置（ここに図示せず）によって医療装置２００の内部に集められることを可能にする。いくつかの実施形態によれば、ビューポート２２０は、集光装置（ここに図示せず）または感光装置に向けて（そこを通って光を転送よりはむしろ）光を反射する、鏡でありえる。ビューポート２２０は、医療処置の間に水分にさらされることがありえる表面２２２を備える。従って、曇りに対して処理しない、例えば、防がない場合、表面２２２は、それによって曇りで覆われることがありえる。この種の曇りは、例えば、蒸気の凝結（しかしそれに限定されない）に因る表面２２２上の液滴の蓄積の結果である。
【００２９】
装置１００は、医療装置２００の遠位端２１０をそこに受け入れるために必要な大きさにされる保護シュラウド１１０を備える。装置１００は、操作ユニット１２０および操作ユニット１２０に接続するプラズマアプリケーター１３０（本願明細書において、プラズマ発生電界アプリケーターとも称される）を更に備える。プラズマアプリケーター１３０は、医療装置２００の遠位端２１０をそこに受け入れるように構成されるスロット１３２を備えるが、遠位端２１０は保護シュラウド１１０で囲まれる。換言すれば、使用のために、医療装置２００の遠位端２１０は、保護シュラウド１１０に挿入されて、遠位端２１０がそこに囲まれる保護シュラウド１１０は、スロット１３２に挿入される。いくつかの実施形態によれば、保護シュラウド１１０はスロット１３２に挿入されて、それから遠位端２１０は保護シュラウド１１０に挿入されて、前進する。
【００３０】
いくつかの実施形態によれば、装置１００は、開口部１４２を有する無菌性スクリーン１４０を更に備える。使用のために、保護シュラウド１１０は、本願明細書において以下に更に詳述されて、説明されているように、無菌性スクリーン１４０の開口部１４２を通してスロット１３２に挿入される。いくつかの実施形態によれば、保護シュラウド１１０は、重要でないか、使い捨てであるか、または交換可能な部品であり、単一の患者で実行される単一の医療処置の間に使用するように構成される。いくつかの実施形態によれば、保護シュラウドは、患者の体液にさらされることがありえる内視鏡と使用中および使用後に無菌に維持されるかまたは維持されないことがありえるプラズマアプリケーターの間の無菌性バリアとして機能する。いくつかの実施形態によれば、無菌性スクリーン１４０は、プラズマアプリケーター１３０を使用中および使用後に内視鏡に由来する体液がないように維持することを容易にする。いくつかの実施形態によれば、無菌性スクリーン１４０は、プラズマアプリケーター１３０に由来することがありえる汚染に対して内視鏡を無菌に維持することを容易にする。
【００３１】
いくつかの実施形態によれば、無菌性スクリーン１４０は、図１Ｃ、１Ｄ、および１Ｅに図式的に表されるように、無菌性スリーブ１４４に取り付けられて、無菌性スリーブは、無菌性スクリーンとスリーブの遠位端１４６の間に広がる。いくつかの実施形態によれば、無菌性スリーブ１４４は、ソックスのように柔らかいことがありえる。使用前に、無菌性スリーブ１４４は、図１Ｃに図式的に表すように、折り畳むことができる。使用のために、無菌性スリーブ１４４は、プラズマアプリケーターをスリーブの遠位端１４６を通して無菌性スリーブに挿入することによってプラズマアプリケーター１３０またはその一部を取り囲み、包囲し、そしてカバーするために広げることができる。使用中、無菌性スリーブ１４４は、プラズマアプリケーター１３０を包囲してカバーするようにプラズマアプリケーター１３０周辺に配置することができて、その結果、保護シュラウド１１０の開口部１４２を通ってスロット１３２への挿入および／または内視鏡２００の保護シュラウド１１０への挿入は、プラズマアプリケーター１３０を汚染することがありえない。いくつかの実施形態によれば、無菌性スリーブは、実質的に堅くて、例えば管の形状を有して、保護シュラウドをそこに収納するように構成されることがありえる。いくつかの実施形態によれば、無菌性スリーブ１４４は、プラズマアプリケーター１３０に一方を固着し、そしてデスクまたはテーブルまたは別の作業プラットフォームに他方を固着し、それによってプラズマアプリケーターを作業プラットフォームに取り付けて安定させて、保護シュラウド１１０（または内視鏡２００）をプラズマアプリケーター１３０に出し入れするのを容易にするように構成される両面粘着性パッド（ここに図示せず）をその底部に備える。いくつかの実施形態によれば、無菌性スリーブ１４４とともに無菌性スクリーン１４０は、保護シュラウド１１０に取り付けられて、その結果、保護シュラウド１１０のスロット１３２への挿入およびプラズマアプリケーター１３０を無菌性スリーブ１４４で封入することは、実質的に一緒に実行される。
【００３２】
プラズマアプリケーター１３０は、電源（ここに図示せず）に電気的に接続する。電源は操作ユニット１２０に任意に配置できる。保護シュラウド１１０で囲まれる遠位端２１０がスロット１３２内に配置されるとき、そして電源の起動に応じて、プラズマアプリケーター１３０は、スロット１３２内の保護シュラウド１１０内部でビューポート２２２に近位のプラズマ発生に適している電界を印加するように更に構成される。
【００３３】
いくつかの実施形態によれば、プラズマアプリケーター１３０は、ガスポンプと、そして加えて、または代わりにガスタンク（いずれもここで図示されない）と流動的に結合できる。ガスポンプおよびガスタンクは、以下に更に詳述されて説明されるように、プラズマ点火を促進するために、内視鏡の遠位端の周辺を、それぞれ、好適なガスによって制御可能に排気するか、または制御可能にフラッシュするように用いることができる。いくつかの実施形態によれば、好適なガスは、アルゴンまたは窒素でありえる。いくつかの実施形態によれば、排気の後のプラズマ点火に適しているガス圧力は、０．１Ａｔｍ以下でありえる。いくつかの実施形態によれば、内視鏡の遠位端の周辺は、ポンプで汲み上げられ、排気されて、それから所望のガスによってフラッシュすることができる。いくつかの実施形態によれば、ガスポンプおよび／またはガスタンクは、場合によっては、操作ユニット１２０に任意に配置することがありえる。
【００３４】
操作ユニット１２０は、装置１００のユーザが装置を操作して制御できるように構成される。操作ユニット１２０は、したがって、コマンドスイッチおよびコントローラ、例えば物理的または仮想スイッチ、ボタン、およびコントローラを備えることができる。制御ユニットは、装置、例えば表示ＬＥＤ、ディスプレイを操作するために必要なデータおよび情報をユーザに提供するためのインジケータと、あるいは、ユーザが装置を操作して命令できるように操作およびコマンドスクリーンをユーザに提供するための操作ソフトウェアとを更に備えることができる。
【００３５】
図２は、いくつかの実施形態の態様による保護シュラウド３１０の実施形態を断面図で図式的に表す。保護シュラウド３１０は、保護シュラウド３１０内に点線で図式的に表される、内視鏡３８０とともに使用するのに特に適している。内視鏡３８０は、ビューポート３９０の近位の遠位端３８２に遠位端３８２および電導表面― 例えば金属表面３８４ ― を備える。 ビューポート３９０は、本願明細書に記載されているようにプラズマ処理を受けることができる外面３９２を更に備える。
【００３６】
保護シュラウド３１０は、近位開口部３１４と円筒遠位端３１６の間に伸びる中空円筒体３１２を備える。保護シュラウド３１０は、３つのＯリング３２０ａ、３２０ｂ、および３２０ｃそれぞれを含む真空シール３２０を更に備える。真空シール３２０は、当技術分野で周知のように、わずかな力を使用して、例えば手によって内視鏡３８０を保護シュラウド３１０に挿入できるように、内視鏡３８０の外部寸法（例えば、外径）に適合するように構成される。従って、真空シール３２０は、内視鏡３８０が保護シュラウド３１０内に配置されるときに、保護シュラウド３１０の内部３２２と保護シュラウド３１０の外部３２４の間の圧力差（またはガス濃度の差）を保持するように構成される。真空シール３２０は、保護シュラウド３１０内で内視鏡３８０を機械的に安定させるのを支援することもできて、それによって内部３２２と外部３２４の間のガス洩れを防止するのを支援し、そしてまた、以下に更に説明するように、ビューポート３９０に近位のプラズマ発生を支援する。
【００３７】
保護シュラウド３１０は、中空円筒体３１２に配置される陰極３３０を更に備え、そして保護シュラウド３１０の外部３２４とその内部３２２の間に電気的フィードスルーを確立するように構成される。陰極３３０は可撓性であり、そして保護シュラウド３１０の内部３２２に、且つその外部に電気的に露出し、それによって陰極３３０と金属表面３８４の間に電気接点を形成すると共に、内視鏡３８０の保護シュラウド３１０への挿入を可能にする。保護シュラウド３１０は、シリンダー遠位端３１６に近接して配置される陽極３４０を更に備える。陽極３４０は、例えば内部３２２に面する円形の滑らかな表面３４２を有する金属ブロックとして成形できる。いくつかの実施形態によれば、表面３４２は湾曲できる。いくつかの実施形態（ここに図示せず）によれば、陽極３４０は、内部３２２の方へ向くとがった先端として成形できる。いくつかの実施形態によれば、陽極３４０はリングとして成形できる。陽極３４０は、誘電材料でできているディスク３４４に取り付けられて、その結果、ディスク３４４は、陽極３４０と陰極３３０および内視鏡の金属表面３８４（陰極と同じ電位にある）との間に誘電体バリアを形成する。換言すれば、ディスク３４４は、陽極３４０と陰極３３０および内視鏡の金属表面３８４との間の照準線を遮断し、それによって前記誘電体バリアを形成することによって、誘電体バリア放電（ＤＢＤ）動作モードのプラズマ発生を確実にするように構成される。ＤＢＤモードにおいて、プラズマは、ビューポートの近くで利用できる空間を通じてより一様に発生できるが、陽極と陰極間のアーク放電または他のタイプの特定の細い電気的輸送軌道は阻止される。
【００３８】
誘電体バリアの厚みが、ビューポートの近くのプラズマ発生電界の均一性に、そしてそれ故にプラズマ処理の品質に強い影響を及ぼすことに留意されたい。本願明細書におけるプラズマ処理の「品質」は、達成される親水性のレベル、およびその親水性を得るために起動する電界の継続期間を意味する。換言すれば、高品質のプラズマ処理は、比較的高いレベルの親水性（例えば、処理される表面上に水のそれを超える、即ち０．０７２Ｎ／Ｍを超える表面張力を得ること）を比較的短い期間（例えば、起動電界の５分、または１分または１０秒程の短時間または５秒程の短時間）内に達成する。誘電体バリアの厚みは、通常、プラズマ点火を促進するためにできるだけ小さくなければならないが、それは絶縁破壊およびアーク放電を防止するのに十分大きくなければならない。誘電材料、例えば本願明細書に記載されている実施形態のＰＥＴまたはポリカーボネートの典型的な厚みは、ＭＨｚ範囲（例えば約２ＭＨｚ）の周波数のＲＦ電界に対して約０．３ｍｍ〜約３ｍｍの範囲にありえる。
【００３９】
いくつかの実施形態によれば、陽極３４０は、以下に更に説明するように、陽極３４０と供給接触器の間の信頼性が高い電気接点を容易にするために、中空円筒体３１２と関連して柔軟に移動させるように構成される。いくつかの実施形態によれば、ディスク３４４は、中空円筒体３１２と関連してばね３４６によって支持できる。
【００４０】
動作において、プラズマ発生電力は、陽極３４０と陰極３３０の間に供給されて、従ってＤＢＤモードのプラズマ発生電界は、陽極３４０と陰極３３０に接触している金属表面３８４との間に発生する。プラズマ発生電界は、陽極３４０と陰極３３０の間の空間で、そして特にビューポート３９０の周辺で外面３９２に隣接してプラズマを発生する。
【００４１】
図３Ａは、保護シュラウド３１０ａ（保護シュラウド３１０ａは、以下に詳述されるように、図２の保護シュラウド３１０とわずかに異なる）とともに使用するのに適したプラズマアプリケーター３４８の実施形態の一部を図式的に表す。プラズマアプリケーター３４８は、保護シュラウド３１０ａをそこに受け入れるように構成されるスロット３５０を備える（そこにおいて、内視鏡３８０は保護シュラウド３１０ａで囲まれる）。プラズマアプリケーター３４８は、保護シュラウド３１０ａがスロット３５０内にあるときに、陰極３３０と接触するように構成される陰極接触器３５２を更に備える。陰極接触器３５２と電気的に結合した、電線のような導電体３５４は、電源（ここに図示せず）によって発生する電力を陰極接触器３５２に、そして陰極３３０に供給するために用いることができる。プラズマアプリケーター３４８は、保護シュラウド３１０ａがスロット３５０内にあるときに、陽極３４０と接触するように構成される陽極接触器３５６を更に備える。陽極接触器３５６と電気的に結合した、電線のような導電体３５８は、電源によって発生する電力を陽極３４０に供給するために用いることができる。陽極接触器３５６は、保護シュラウド３１０ａがスロットに挿入されるときに、陽極接触器３５６と陽極３４０の間の信頼性が高い電気接点を容易にするために、例えばばね３６０によって柔軟に支持できる。
【００４２】
ガスのプラズマを発生できる電界の特性が、関係する電極形状（例えば、電界の印加のために使用する電極の形状および構成、電極間の距離など）に加えて、ガス自体の特性に強く依存することがありえることに留意されたい。通常、ガスの圧力がより高いほど、電界は、ガスのプラズマに点火するためにより高くなければならない。また、いくつかのガスは他より低い電界で点火する。例えば、プラズマは、大気圧で、且つ電極間の１ｃｍの距離にわたる約７ＫＶの（１ＭＨｚと１５ＭＨｚ間の周波数の）ＲＦ電界を使用して、そしてガスが０．８ＫＰａの圧力である場合、約２００Ｖの電圧で、ヘリウムガスにおいて点火できる。類似の電極形状の場合は、類似の界周波数で、プラズマは、大気圧で約２０ＫＶの電圧で、そして０．８ＫＰａで約８００Ｖの電圧で、空気中で点火できる。
【００４３】
このように、いくつかの実施形態によれば、プラズマアプリケーター３４８は、電極３３０と３４０の間の空間で低圧の大気を発生させて、プラズマ点火を促進するために、ガスをガスタンク（ここに図示せず）からスロット３５０へ流れ出させるか、または空気をスロット３５０からポンプで汲み出すように構成される。このように、いくつかの実施形態によれば、プラズマアプリケーター３４８は、スロット３５０とともに、ヘリウムまたはアルゴンまたは窒素のような、そこでのプラズマ発生に適しているガスを含むガスタンク（ここに図示せず）と流動的に結合するホース３６４に連結している。ユーザによって操作可能な制御ユニット（ここに図示せず）により制御される弁３６６は、スロット３５０に入るガス流を予定して、調整するために用いることができる。動作中に、いくつかの実施形態によれば、内視鏡３８０をその中に有する保護シュラウド３１０ａをスロット３５０に導入した後に、弁３６６は、ガス流がスロットに入ることができるように開くことができる。保護シュラウド３１０ａは、中空円筒体３１２とディスク３４４の間の開口部３６８を通してガス流が入り込むことができて、ガスが保護シュラウド３１０ａに流入してビューポート３９０の方へ流れることを可能にする。スロット３５０に流入するガスの過剰量は、保護シュラウド３１０ａとプラズマアプリケーター３４８の間のスロット３５０の隙間を通って自由に流出できる（隙間は封止されていない）。ガス流の適切な期間（例えば、５秒または１０秒または３０秒または１分）の後に、電源は、ビューポート３９０の近くでプラズマ発生電界を発生するために、電力を陽極３４０および陰極３３０に供給するために起動できる。いくつかの実施形態によれば、ガスタンクは携帯型であって、単回使用に適することがありえる。
【００４４】
いくつかの実施形態によれば、ホース３６４は、プラズマ点火を促進するために、ガス（空気）を保護シュラウド３１０ａから、特にビューポート３９０の近くの空間からポンプで汲み出すために用いることができる。空気は、ビューポート３９０の周辺から開口部３６８を通ってスロット３５０の方へ、そしてホース３６４に吸い込まれることができる。真空シール３７０は、シリンダー端３１６の近くの領域と保護シュラウド３１０ａの開口部３１４の近くの領域の間の圧力差を保留することによってビューポート３９０の近くで真空を発生することを可能にする。いくつかの実施形態によれば、空気は、ホース３６４と流動的に結合した、真空ポンプ（ここに図示せず）によってホース３６４を通して汲み出すことができる。いくつかの実施形態によれば、ホース３６４は、例えば小型真空ポンプによって連続的に汲み出される汲出し容器（図示せず）に流動的に結合できる。流体結合はホース３６４を通して設けられて、ホースは容器と恒常的に流体連通し、それによって連続的にポンプ圧送されもする。弁３６６を開放することは、実施形態の特殊性に応じて、真空ポンプによって、またはポンプで汲み出される容器によって、スロット３５０および特にビューポート３９０の近くの空間からポンプで汲み出す結果になりえる。スロット３５０の、そして保護シュラウド３１０ａの流動的に連結した部分の汲出し領域の容積は、いくつかの実施形態によれば、１０ｃｃより小さいことがありえて、例えば約１０００ｃｃ（１リットル）の汲出し容器およびホースは、約５秒未満または約１０秒未満内に例えば約０．１気圧と約０．０１気圧の間の適切な真空レベルを確立するのに十分でありえる。それは、外面３９２を満足にプラズマ処理するために、約３０秒間または約１分間ものプラズマ励起のために充分でありえる。
【００４５】
図３Ｂに詳細に示す、いくつかの実施形態によれば、保護シュラウド３１０ａは、保護シュラウド３１０ａとプラズマアプリケーター３４８の間の無菌性バリアを維持するために、開口部３６８に置かれる無菌性フィルター３７２を更に備える。無菌性バリアを維持することによって、細菌性微生物は無菌性フィルター３７２を透過することができないことが意味されて、そこにおいて細菌性微生物は、菌類およびバクテリアを含む、あらゆる種類の原核細胞または真核生物細胞を含むことがありえる。無菌性フィルターは、いくつかの実施形態によれば、開口部３６８のシリンダー端３１６を覆って配置されて、その結果、プラズマアプリケーター３４８から保護シュラウド３１０ａに流入するガスは、無菌の保護シュラウドに入り、そして／または保護シュラウド３１０ａの内部３２２からプラズマアプリケーター３４８に流入するガスは、無菌のプラズマアプリケーターに入る。このように、無菌性フィルター３７２は、プラズマアプリケーターから（例えばスロット３５０の環境から）内視鏡３８０への汚染の転送を防止し、そして／または内視鏡３８０からプラズマアプリケーターへの汚染の転送を防止する。加えて、または代わりに、無菌性フィルターは、プラズマアプリケーターに、または例えばホース３６４に配置できる。
【００４６】
図３Ｃは、いくつかの例示的実施形態によるプラズマアプリケーター４４８および対応する保護シュラウド４１０を図式的に表す。プラズマアプリケーター４４８は、ホース３６４と流動的に結合したアプリケーター・ガス・ポート４０２を備えていることでプラズマアプリケーター３４８と異なり、そして保護シュラウド４１０は、アプリケーター・ガス・ポート４０２に流動的に連結するように構成されるシュラウド・ガス・ポート４０４を備える。保護シュラウドの内部３２２と保護シュラウド４１０の外部３２４の間の流体連結性 ― 例えばプラズマアプリケーターのスロット４５０の空間 ― は、真空シール４０８、例えばＯリングによって妨げられる。このように、保護シュラウド４１０がプラズマアプリケーター４４８に挿入されるときに、シュラウド・ガス・ポート４０４はアプリケーター・ガス・ポート４０２に流体連結し、それによってホース３６４の保護シュラウドの内部３２２への流体連結性を確立する。従って、プラズマ点火促進ガス（例えばヘリウムまたはアルゴン）は、ホース３６４を通って保護シュラウドに直接入れられて、加えて、または代わりに、ガス、特に空気は保護シュラウドからホース３６４を通ってポンプで汲み出すことができる。スロット４５０と保護シュラウドの内部３２２間の流体連結性は、このように妨げられる。無菌性フィルター４７２は、保護シュラウド４１０の内部３２２とプラズマアプリケーター４４８の間の無菌性バリアを維持するために、シュラウド・ガス・ポート４０４内に配置される。図３Ｂの無菌性フィルター３７２に関して上述したように、プラズマアプリケーター４４８から保護シュラウド４１０の内部３２２に流入するガスは、無菌の保護シュラウドに入り、そして／または保護シュラウド４１０の内部３２２からプラズマアプリケーター４４８に流入するガスは、無菌のプラズマアプリケーターに入る。このように、無菌性フィルター４７２は、プラズマアプリケーターから（例えば、スロット４５０の周囲から）内視鏡３８０への汚染の転送を防止し、そして／または内視鏡３８０からプラズマアプリケーターへの汚染の転送を防止する。
【００４７】
保護シュラウド４１０は、（保護シュラウド３１０の陽極３４０の代わりに）遠位円筒端３１６の近くの中空円筒体３１２の外周上のリングとして成形されるリング陽極４４０を有することで保護シュラウド３１０と更に異なる。それゆえに、誘電材料で作られる中空円筒体３１２は、陽極４４０と陰極３３０および内視鏡の金属表面３８４との間の誘電体バリア４４４として機能し、その結果、プラズマは、保護シュラウド３１０に関して上記のようにＤＢＤ動作モードで保護シュラウド４１０において発生する。いくつかの実施形態によれば、保護シュラウド４１０は、中空円筒体４１２内にストッパー４４２を備える。ストッパー４４２は、内視鏡３８０の保護シュラウド４１０内への前進を制限するように構成されて、その結果、所定の望ましい隙間が、陽極４４０と内視鏡の金属表面３８４の間に確立されて、それによって周知の電界（電界は陰極および陽極と前記隙間の間に供給される電圧により決定される）でプラズマ発生を確実にする。ストッパー４４２は、陽極と陰極間の照準線上の誘電体バリアとして更に使用することができて、それによってプラズマをビューポート３９０に向けて集中させるのを支援する。
【００４８】
保護シュラウド４１０が、プラズマアプリケーター４４８のスロット４５０に挿入されるときに、プラズマアプリケーター４４８の陽極接触器４５６は、リング陽極４４０と接触する。陽極接触器４５６は、上記のようにプラズマ発生電界をリング陽極４４０に供給することを可能にするために、電源（ここに図示せず）に接続するように構成される導電体４５８に電気的に結合している。保護シュラウド４１０が上記のようにスロット４５０に挿入されるときに、保護シュラウド４１０の陰極３３０は、陰極接触器３５２と電気的に結合している点に留意される。従って、起動に応じて、適切に接続された電源は、ビューポート３９０の周辺でプラズマを発生するために、リング陽極４４０と内視鏡３８０の金属表面３８４の間にプラズマ発生電界を（ＤＢＤモードで）供給できる。
【００４９】
図４は、いくつかの実施形態の一態様による保護シュラウド５１０を図式的に表す。保護シュラウド５１０は、上記の実施形態にて説明したように内視鏡周辺で空間からポンプ汲み出さずに、またガスをその空間に流入させずに、促進されたプラズマ点火を可能にするように構成される。換言すれば、保護シュラウドは、ガスタンクにもガスポンプにも連結していないプラズマアプリケーターを用いて、本願明細書における教示に従ってプラズマ処理を内視鏡のビューポートに施すことを可能にする。従って、保護シュラウドは、ガスポート４０２のようなガスポートを有せず、そしてホース３６４のようなホースに連結していない。
【００５０】
保護シュラウド５１０は、開口部３１４と円筒端３１６の間に伸びる中空円筒体３１２を備える。保護シュラウド５１０は、中空円筒体３１２に出口がなくて、円筒端３１６の近くで封止されているという点で、保護シュラウド３１０と異なり、それによって円筒端３１６を通ってのガス分子の浸透または浸入を実質的に防止する。保護シュラウド５１０は、中空円筒体３１２内部の漏出シール５３０、および漏出シール５３０と円筒端３１６の間にある中空円筒体３１２の密封スクリーン５１８を有するという点で保護シュラウド３１０と更に異なる。密封スクリーン５１８は、ガス分子を通さないように構成されて、それによって密封スクリーン５１８と円筒端３１６の間に閉じられた、閉鎖空間５２０を画成する。保護シュラウド５１０内部の閉鎖空間５２０はこのように気密であり、即ち、保護シュラウド５１０の外部３２４から封止するように維持される。閉鎖空間５２０は、約１気圧のガス圧力で、プラズマ点火に適しているガス、例えばアルゴンを含み、その結果、せいぜい、密封スクリーンすべてにわたってほんの小さい気圧勾配しかない。
【００５１】
密封スクリーン５１８は壊れやすくて、それによって内視鏡３８０のような内視鏡の保護シュラウド５１０への挿入に応じて破損する（取り壊す）ように構成される。いくつかの実施形態によれば、保護シュラウド５１０は、閉鎖空間５２０外の密封スクリーン５１８の近くに中空円筒体３１２に柔軟に取り付けられる一つ以上の引き裂き針５２２を更に備える。引き裂き針５２２は、密封スクリーン５１８に向って柔軟にもたせかかり、そして保護シュラウドに挿入される物により押されるときに密封スクリーンを裂くように構成される。かくして、使用のために、内視鏡は、保護シュラウド５１０に挿入されて、引き裂き針５２２を密封スクリーン５１８の方へ押すことによって密封スクリーン５１８を取り壊すことに影響を及ぼすことができる。ビューポートが陰極３３０と陽極３４０の間にあるようになるまで、内視鏡は更に前進できる。挿入の間に、内視鏡が漏出シール５３０を通って最初に前進し、それから密封スクリーン５１８が破られて、それから内視鏡が適所に配置されるように更に前進する点に留意される。一旦密封スクリーン５１８が壊れると、空間５２０内のガスは、漏出シール５３０と内視鏡の間に形成されるシーリングによって開口部３２４の方へ自由に流れるのを防止される。内視鏡の保護シュラウド内への更なる前進の間に、ガスのための空間５２０の自由容積は減少し、それでも、閉鎖空間５２０の領域に蓄積される圧力は、漏出シール５３０を横切る圧力差の下のガス漏出により防止される。その結果、内視鏡３８０が保護シュラウド５１０に完全に挿入されるとき、閉鎖空間５２０および特にビューポートに近位の空間は、陽極３４０と陰極３３０の間に、ほぼ大気圧で、密封スクリーン５１８の引き裂きの前に空間５２０に含まれたガスを実質的に含み、それによってそこにおけるプラズマ点火を促進する。いくつかの実施形態によれば、密封スクリーン５１８は、マイラーまたは金属被覆マイラーまたはカプトンまたは金属化カプトンなどで作ることができる。
【００５２】
従って、本発明の態様によれば、内視鏡検査のために内視鏡（図１の２００、図２、３Ａ、および３Ｃの３８０）を準備するための装置（図１Ａの１００）が提供される。装置は、そこに内視鏡の遠位端（２１０、３８２）を受け入れるために必要な大きさにされる保護シュラウド（図１Ａの１１０、図２および３Ａの３１０、３１０ａ、図３Ｃの４１０、図４の５１０）を備える。遠位端は、そこを通してビューポートの周囲の画像を収集することを可能にするように構成されるビューポート（２２０、３９０）を備える。
【００５３】
装置は、電源と電気的に結合プラズマ発生界アプリケーター（１３０、３４８、４４８）を更に備える。プラズマ発生界アプリケーターは、そこに保護シュラウドで囲まれる内視鏡の遠位端を受け入れるように構成されるスロット（１３２、３５０、４５０）を有する。プラズマ発生界アプリケーターは、保護シュラウド内のプラズマ発生に適している電力を印加するように構成される。保護シュラウドは、内視鏡の遠位端から、そしてプラズマ発生界アプリケーターから着脱可能である。
【００５４】
いくつかの実施形態によれば、内視鏡のビューポートは透明でありえるか、または鏡でありえる。
【００５５】
いくつかの実施形態によれば、装置は、第１の端部にプラズマ発生界アプリケーターを無菌性スリーブに挿入することを可能にするように構成される第１の開口部、および第２の端部に内視鏡をプラズマ発生界アプリケーターに挿入することを可能にするように構成される第２の開口部（１４２）を有する、プラズマ発生界アプリケーターをカプセル化するように構成される、第１の端部（１４６）と第２の端部（１４０）の間に伸びる無菌性スリーブ（１４４）を更に備える。いくつかの実施形態によれば、無菌性スリーブは柔らかく、そしていくつかの実施形態によれば、無菌性スリーブは堅い。無菌性スリーブは、プラズマ発生界アプリケーターから分離される。いくつかの実施形態によれば、無菌性スリーブは保護シュラウドに取り付けられ、そしていくつかの実施形態によれば、無菌性スリーブは保護シュラウドから分離される。
【００５６】
いくつかの実施形態によれば、保護シュラウドは、少なくとも一つの電極（３４０、４４０）および電極に電気的に接続している第１のシュラウド電気接点（３４０、４４０）を備える。保護シュラウドがスロット（３５０、４５０）に挿入されるときに、第１のシュラウド電気接点は、プラズマ発生野アプリケーターの対応する第１のアプリケーター電気接点（３５６、４５６）と電気的に接触するように構成される。少なくとも一つの電極は、それによってプラズマ発生界アプリケーターから電力を受け取ると、保護シュラウド内部（３２２）でプラズマ発生界を印加するように構成される。
【００５７】
いくつかの実施形態によれば、保護シュラウドは、内視鏡の遠位端が保護シュラウド内に受け入れられるときに、内視鏡と接触するように構成される、第２のシュラウド電気接点（３３０）を更に備える。第２のシュラウド電気接点は、保護シュラウドがスロット（３５０、４５０）に挿入されるときに、第２のアプリケーター電気接点（３５２）と電気的に接触するように構成される。
【００５８】
いくつかの実施形態によれば、保護シュラウドは、内視鏡の遠位端を受け入れるように構成される開口部（３１４）と保護シュラウドの遠位端（３１６）の間に伸びる中空の実質的に堅い管（３１２、４１２）を備える。いくつかの実施形態によれば、中空管は中空円筒体（３１２、４１２）である。
【００５９】
いくつかの実施形態によれば、保護シュラウドは、内視鏡（３８０）を囲むために必要な大きさにされる、それによって内視鏡が中空管内に受け入れられるときに、内視鏡と密封して接触するように構成される、中空管の内周部に沿って開口部と遠位端の間に配置されるシール（３２０、５３０）を更に備える。いくつかの実施形態によれば、シールはＯリングを備える。
【００６０】
いくつかの実施形態によれば、プラズマ発生界アプリケーター（３４８、４４８）は、ホース（３６４）に連結している。ホースは、スロット（３５０、４５０）に制御可能に流動的に連結している。いくつかの実施形態によれば、プラズマ発生界アプリケーター（３４８、４４８）は、ホース（３６４）をスロット（３５０、４５０）に制御可能に流動的に連結する、制御弁（３６６）を備える。いくつかの実施形態によれば、プラズマ発生界アプリケーター（３４８）は、ホースに流動的に連結されるアプリケーター・ガス・ポート（４０２）を備え、そして保護シュラウド（４１０）はシュラウド・ガス・ポート（４０４）を備える。シュラウド・ガス・ポートは、ホースを保護シュラウドの内部（３２２）と流動的に連結するためにアプリケーター・ガス・ポートと密封して連結するように構成される。シュラウド・ガス・ポートとアプリケーター・ガス・ポートとの密封された連結は、例えばシール４０８によって、保護シュラウドがスロットに挿入されるときに、（ホース３６４と流動的に結合する）保護シュラウドの内部（３２２）とスロット（４５０）の間の流体連通を防止する。
【００６１】
いくつかの実施形態によれば、保護シュラウド（５１０）は、内視鏡の遠位端が中空管に挿入されるときに、中空管（３１２）内部に内視鏡と密封して接触するように構成されるシール（５３０）を備える。保護シュラウド（５１０）は、中空管を横切って、それによって密封スクリーンと中空管の遠位端（３１６）の間に閉じた封止空間（５２０）を画成するように構成される密封スクリーン（５１８）を更に備える。いくつかの実施形態によれば、保護シュラウドは、シール（５３０）と密封スクリーン（５１８）の間で中空管内に配置される、内視鏡の中空管への挿入により密封スクリーンを引きはがすように構成されるテリア（５２２）を更に備える。
【００６２】
いくつかの実施形態の一態様によれば、内視鏡検査のための内視鏡を準備する方法が提供される。この方法は、そこに内視鏡の遠位端（２１０、３８２）を受け入れるために必要な大きさにされる保護シュラウド（１１０、３１０、３１０ａ、４１０、５１０）を提供することを含み、遠位端は、そこを通してビューポートの周囲の画像を収集することを可能にするように構成されるビューポート（２２０、３９０）を備える。この方法は、電源と電気的に結合したプラズマ発生界アプリケーター（１３０、３４８、４４８）を提供することを更に含む。プラズマ発生界アプリケーターは、保護シュラウドで囲まれる内視鏡の遠位端をそこに受け入れるように構成されるスロット（１３２、３５０、４５０）を有する。プラズマ発生界アプリケーターは、保護シュラウド内のプラズマ発生に適している電力を（例えば、電極３３０、３４０、および４４０によって）印加するように構成される。保護シュラウドは、プラズマ発生界アプリケーターから、そして内視鏡の遠位端から着脱可能である。この方法は、保護シュラウドで囲まれる内視鏡の遠位端をプラズマ発生界アプリケーターのスロットに配置すること、および電源を起動させて保護シュラウド内でプラズマを発生させて、それによって内視鏡の遠位端でビューポートをプラズマ処理することを更に含む。
【００６３】
いくつかの実施形態によれば、この方法は、保護シュラウドによって、遠位端に分散する流体によるプラズマ発生界アプリケーターの汚染を防止することを更に含む。いくつかの実施形態によれば、プラズマ発生界アプリケーターはホース（３６４）を備え、そしてこの方法は、（弁３６６を開閉することによって）保護シュラウドの内部（３２２）にガスを制御可能に流すことか、またはホースを通して保護シュラウドの内部からポンプで汲み出すことを更に含む。
【００６４】
いくつかの実施形態の一態様によれば、内視鏡検査のための内視鏡（３８０）を準備する方法が更に提供されて、内視鏡は、ビューポート（３９０）を備えた遠位端（３８２）を備える。ビューポートは誘電材料で作られて、内視鏡の遠位端で金属部分（３８４）に近位している。この方法は、内視鏡の遠位端を閉プラズマ室（例えば、保護シュラウド３１０、３１０ａ、４１０、または５１０、そこにおいて、内視鏡の挿入は保護シュラウドの内部３２２を封止し、それによって閉プラズマ室をそこに画成する）に配置することを含む。閉プラズマ室は、少なくとも陽極（３４０、４４０）および陰極（３３０）を有し、そこにおいて、陰極は金属部分と電気的に接触する。陽極と陰極間の照準線は、誘電体バリア（３４４、４４４）により遮断されて、この方法は、陽極と陰極の間にプラズマ発生電磁界を印加し、それによってビューポートの周辺（３２２）でＤＢＤモードのプラズマを発生することを更に含む。いくつかの実施形態によれば、電気バリア（４４４）は、ビューポートの周辺（３２２）のガスから陽極（４４０）を電気的に分離する。この方法のいくつかの実施形態によれば、ビューポートは透明であるかまたは代わりに鏡である。この方法のいくつかの実施形態によれば、ビューポートは、ガラスまたはクォーツまたはプラスチックでできている。
【００６５】
明確にするために、別々の実施形態との関連で記載されている、本発明の特定の特徴が、単一の実施形態に組合せて提供されることもできると認められる。逆に、簡潔のために、単一の実施形態との関連で記載されている、本発明の特徴は、別々に、またはあらゆる適切な下位組合せで、または本発明のその他の記載された実施形態において、適切なものとして提供することもできる。実施形態との関連で記載されている特徴は、それなりに明確に特定されない限り、その実施形態の基本的特徴と考えるべきではない。
【００６６】
いくつかの実施形態による方法のステップが、特定のシーケンスで説明できるけれども、本発明の方法は、異なる順序で実行される記載されているステップの一部または全部を含むことができる。本発明の方法は、記載されているステップ全てまたは記載されているステップのごく少数を含むことができる。開示された方法における特定のステップは、それなりに明確に特定されない限り、その方法の不可欠なステップと考えるべきではない。
【００６７】
本発明がその特定の実施形態と関連して説明されるけれども、当業者にとって明らかである多数の変形例、変更態様、およびバリエーションが存在することがありえることは明白である。従って、本発明は、添付の請求の範囲に入るすべてのこの種の変形例、変更態様、およびバリエーションを包含する。本発明は、本願明細書に記載される構造の詳細ならびに部品および／または方法の配置へのその適用で必ずしも制限されるというわけではないことを理解すべきである。他の実施形態は実践することができて、ある実施形態は種々の方法で実施することができる。
【００６８】
本願明細書において使用される語法および用語は、記述目的のためであって、制限的であると考えるべきではない。本出願のいかなる参照文献の引用または識別も、この種の参照文献が本発明に対する従来技術として使われるという承認として解釈すべきではない。見出しは、本願明細書の理解を容易にするために本願明細書で使われており、必ずしも制限的であると解釈すべきではない。
【図１Ａ】
2020114396.tif 000003
【図１Ｂ】
2020114396.tif 000004
【図１Ｃ】
2020114396.tif 000005
【図１Ｄ】
2020114396.tif 000006
【図１Ｅ】
2020114396.tif 000007
【図２】
2020114396.tif 000008
【図３Ａ−３Ｂ】
2020114396.tif 000009
【図３Ｃ】
2020114396.tif 000010
【図４】
2020114396.tif 000011